(57)【要約】【課題】安全性を担保しつつ従来よりも作業負荷を軽減することを可能ならしめるクライミング遊具およびクライミング遊具用部材を提供する。【解決手段】足掛かりまたは／および手掛かりとされるホールド３０と、パネル２０の壁面２２にホールド３０を一軸で取り付け可能な取付部材５０とを備える。ホールド３０は、パネル２０の壁面２２に取り付けられる平面部３４と、平面部からの距離が部位に応じて異なる表面部３２とを有する。取付部材５０は、パネル２０の壁面２２にホールド３０を取り付ける際に一軸を中心にまわしてホールド３０の取付角度を変えることが可能であるとともに、パネル２０の壁面２２にホールド３０が取り付けられた後は一軸を中心とするホールド３０の回転を阻止する多角形の嵌合部材６０を含む。【選択図】図３
2020192010.tif 000002
【特許請求の範囲】
【請求項１】
壁面を有するパネルと、
前記パネルの壁面に取り付けられる平面部と、足掛かりまたは／および手掛かりとされ、前記平面部からの距離が部位に応じて異なる表面部とを有するホールドと、
前記パネルの壁面に前記ホールドを一軸で取り付け可能な取付部材と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材を含む
ことを特徴とするクライミング遊具。
【請求項２】
前記嵌合部材は、
前記パネルと一体的に構成されるパネル側雌型部材、
前記ホールドと一体的に構成されるホールド側雌型部材、および
一方の端部が前記パネル側雌型部材と嵌合し、他方の端部が前記ホールド側雌型部材と嵌合する筒状の雄型部材を有し、
前記取付部材は、
前記筒状の雄型部材の内側を挿通させて前記パネル側雌型部材と前記ホールド側雌型部材とを締め付けることにより、前記パネルと前記ホールドとが離間しないよう構成する締付部材をさらに有する
ことを特徴とする請求項１に記載のクライミング遊具。
【請求項３】
パネルの壁面に取り付けられる平面部と、足掛かりまたは／および手掛かりとされ、前記平面部からの距離が部位に応じて異なる表面部とを有するホールドと、
前記パネルの壁面に前記ホールドを一軸で取り付け可能な取付部材と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材を含む
ことを特徴とするクライミング遊具用部材。
【請求項４】
前記嵌合部材は、
前記パネルに一体的に取り付け可能なパネル側雌型部材、
前記ホールドと一体的に構成されるホールド側雌型部材、および
一方の端部が前記パネル側雌型部材と嵌合し、他方の端部が前記ホールド側雌型部材と嵌合する筒状の雄型部材を有し、
前記取付部材は、
前記筒状の雄型部材の内側を挿通させて前記パネル側雌型部材と前記ホールド側雌型部材とを締め付けることにより、前記パネルに対して前記ホールドを取り付け可能な締付部材をさらに有する
ことを特徴とする請求項３に記載のクライミング遊具用部材。
【発明の詳細な説明】
【技術分野】
【０００１】
本発明は、例えば、パネルの壁面に複数のホールドが取り付けられたクライミング遊具およびこのクライミング遊具に用いられるクライミング遊具用部材に関する。
【背景技術】
【０００２】
この種のクライミング遊具またはクライミング遊具用部材として、壁面への当たり面に対して直角方向に延びる一つの貫通孔をホールドに形成し、この貫通孔にボルトを係合させ、このボルトを壁面の貫通孔に螺合させて、ホールドを壁に取り付ける技術が、例えば特許文献１に開示されている。
【０００３】
特許文献１に開示された技術によれば、壁へのホールドの取り付けが１点止めで行われることから作業上の負担は軽いものの、壁に対してホールドがまわってしまう構成であるため安全性の担保が万全でない虞がある。
【０００４】
そこで、例えば図８に示されるホールド１００のように、例えば２つの貫通孔１１０，１２０を形成し、これら２つの貫通孔１１０，１２０にボルトをとおして壁に締め付ける２点止めによって、壁に対してまわらないように構成されることがある。
【０００５】
また、この種のクライミング遊具では、クライミングの難易度を変えたりバリエーションを増やすために、ホールドの壁への取付角度を変えることがある。例えば、図８に示される従来のホールド１００では、貫通孔１２０を通るボルトを外すとともに貫通孔１１０を通るボルトの締め付けを緩め、貫通孔１１０を通るボルトを回転中心としてホールドをまわした後、貫通孔１２０にボルトをとおして締め付けるとともに貫通孔１１０を通るボルトを締め付けることによって、ホールドの取付角度を変えることができる。
【先行技術文献】
【特許文献】
【０００６】
【特許文献１】特開２００４−１２９９７２号公報
【発明の概要】
【発明が解決しようとする課題】
【０００７】
しかし、上述した２点止めでホールドを壁に取り付けるようにした場合、貫通孔１２０を通るボルトに対応する多数の穴を壁に開ける必要があるため、これらの穴を開ける作業負荷が大きいだけでなく、見映えの点でも好ましくない。しかも、２箇所のボルトを外したり緩めたりする必要があるため、ホールドの取付角度を変える際の作業負荷も大きい。
【０００８】
本発明は、そのような点に鑑みてなされたものであり、安全性を担保しつつ従来よりも作業負荷を軽減することを可能ならしめるクライミング遊具およびクライミング遊具用部材を提供することを目的とする。
【課題を解決するための手段】
【０００９】
（１）本発明のクライミング遊具は、
壁面を有するパネルと、
前記パネルの壁面に取り付けられる平面部と、足掛かりまたは／および手掛かりとされ、前記平面部からの距離が部位に応じて異なる表面部とを有するホールドと、
前記パネルの壁面に前記ホールドを一軸で取り付け可能な取付部材と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材を含む
ことを特徴とする。
【００１０】
上記（１）のクライミング遊具によれば、締付部材により一軸でホールドをパネルの壁面に取り付けることによって作業負荷の軽減を図ることができ、さらにはホールドの回転を阻止することによって安全性を担保することができる。
【００１１】
（２）上記（１）のクライミング遊具において、
前記嵌合部材は、
前記パネルと一体的に構成されるパネル側雌型部材、
前記ホールドと一体的に構成されるホールド側雌型部材、および
一方の端部が前記パネル側雌型部材と嵌合し、他方の端部が前記ホールド側雌型部材と嵌合する筒状の雄型部材を有し、
前記取付部材は、
前記筒状の雄型部材の内側に挿通させて前記パネル側雌型部材と前記ホールド側雌型部材とを締め付けることにより、前記パネルと前記ホールドとが離間しないよう構成する締付部材をさらに有する
ことを特徴とする。
【００１２】
上記（２）のクライミング遊具によれば、締付部材を雄型部材の内側に挿通させてパネル側雌型部材とホールド側雌型部材とが締め付けられるため、取付部材をコンパクトなものにすることができる。
【００１３】
（３）本発明のクライミング遊具用部材は、
パネルの壁面に取り付けられる平面部と、足掛かりまたは／および手掛かりとされ、前記平面部からの距離が部位に応じて異なる表面部とを有するホールドと、
前記パネルの壁面に前記ホールドを一軸で取り付け可能な取付部材と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材を含む
ことを特徴とする。
【００１４】
上記（３）のクライミング遊具用部材によれば、締付部材により一軸でホールドをパネルの壁面に取り付けることによって作業負荷の軽減を図ることができ、さらにはホールドの回転を阻止することによって安全性を担保することができる。
【００１５】
（４）上記（３）のクライミング遊具用部材において、
前記嵌合部材は、
前記パネルに一体的に取り付け可能なパネル側雌型部材、
前記ホールドと一体的に構成されるホールド側雌型部材、および
一方の端部が前記パネル側雌型部材と嵌合し、他方の端部が前記ホールド側雌型部材と嵌合する筒状の雄型部材を有し、
前記取付部材は、
前記筒状の雄型部材の内側に挿通させて前記パネル側雌型部材と前記ホールド側雌型部材とを締め付けることにより、前記パネルに対して前記ホールドを取り付け可能な締付部材をさらに有する
ことを特徴とする。
【００１６】
上記（４）のクライミング遊具用部材によれば、締付部材を雄型部材の内側に挿通させてパネル側雌型部材とホールド側雌型部材とが締め付けられるため、取付部材をコンパクトなものにすることができる。
【発明の効果】
【００１７】
本発明によれば、安全性を担保しつつ従来よりも作業負荷を軽減することが可能なクライミング遊具およびクライミング遊具用部材を提供することができる。
【図面の簡単な説明】
【００１８】
【図１】クライミング遊具の全体概要図の一例である。
【図２】パネルの壁面に取り付けられるホールドを斜め上方から見た斜視図の一例である。
【図３】図１に示される複数のホールドのうち、一のホールドのＡ−Ａ断面図である。
【図４】嵌合部材の斜視図の一例である。
【図５】嵌合部材の斜視図の一例である。
【図６】（Ａ）はホールドを裏面側から見た図の一例であり、（Ｂ）は（Ａ）に示されるＢ−Ｂ断面図である。
【図７】嵌合部材の変形例を示す図である。
【図８】従来のホールドの一例を示す図である。
【発明を実施するための形態】
【００１９】
図１は、クライミング遊具１０の全体概要図の一例である。図１に示されるクライミング遊具１０は、図示しないスタンドにより設置面に立設された例えばＦＲＰ製のパネル２０と、パネル２０の壁面２２に取り付けられた複数のホールド３０とを備える。パネル２０の壁面２２に取り付けられるホールド３０は、単一種類ではなく、表面形状が異なる複数種類とすることが好ましい。
【００２０】
なお、図１に示されるパネル２０は、壁面２２が設置面に対して略垂直となるように立設されており、壁面２２の上方部分は遊戯者側（ホールド３０が取り付けられた側）に傾斜しているが、パネル２０の形状はこれに限定されるものではない。
【００２１】
また、複数のパネル２０を連結することにより、クライミング遊具１０をより大型化してもよい。
【００２２】
さらに、パネル２０の材質は、ＦＲＰに限定されず、例えば、強化プラスチック、木製またはコンクリート等であってもよい。
【００２３】
図２は、パネル２０の壁面２２に取り付けられるホールド３０を斜め上方から見た斜視図の一例である。
【００２４】
ホールド３０は、表面３２が不規則な形状（詳細は図３を参照して後述する）であるとともに裏面部３４が平面をなす樹脂製の部材である。ホールド３０には、例えばボルトによってパネル２０の壁面２２に締め付けることができるように、表面部３２から裏面部３４まで貫通する締付用の孔３８が形成されている。なお、ホールド３０の表面粗さは、特に限定されるものではないが、表面粗さを大きくすると遊戯者が手等を掛け易くなり、表面粗さを小さくすると遊戯者が手等を掛け難くなる。
【００２５】
また、図２に示されるホールド３０は、遊戯者による手掛かりまたは足掛かりとされる引掛部３６が形成されており、この引掛部３６は、ホールド３０の表面部３２から裏面部３４まで貫通している。ただし、引掛部３６がホールド３０の表面部３２から裏面部３４まで貫通していることは必須ではない。
【００２６】
図３は、図１に示される複数のホールド３０のうち、一のホールド３０のＡ−Ａ断面図であって、パネル２０の壁面２２へのホールド３０の取り付け態様の一例を示している。なお、図３において、後述する締付部材５６および雄型部材９０については、便宜上、側面図として図示している。
【００２７】
図３に示されるように、ホールド３０は、裏面部３４の全部とパネル２０の壁面２２とを当接させて取付部材５０によってパネル２０の壁面２２に取り付けられている。取付部材５０は、パネル２０の壁面２２とホールド３０とを締め付ける締付部材５６と、パネル２０に対するホールド３０の回転を阻止する多角形の嵌合部材６０とを備える。
【００２８】
締付部材５６は、例えばボルト等であり、パネル２０の壁面２２とホールド３０の裏面部３４とが離間しないよう締め付ける機能を有する。図３では、後述する雌型部材８０の孔８６の内周部に形成された雌ネジに螺合して締付部材５６を締め付けるようにしているが、これに限られず、パネル２０を貫通した締付部材５６を例えばナットに螺合させて締め付けるようにしてもよい。
【００２９】
嵌合部材６０は、詳細は図４および図５を参照して後述するが、多角形の雄型部材と多角形の雌型部材とを嵌合させることによって、パネル２０の壁面２２へのホールド３０の取り付けを１点止めとすることができ、ひいては、穴を開ける作業負荷の軽減およびホールドの取付角度を変える作業負荷の軽減を図ることができる。さらには、パネル２０の壁面２２にホールド３０を取り付けた後、締付部材５６を回転中心としてホールド３０が回転することを阻止することができ、遊戯時の安全を担保することも可能となる。
【００３０】
このように、取付部材５０は、締付部材５６によってパネル２０の壁面２２とホールド３０の裏面部３４との離間を防止するとともに、嵌合部材６０によってホールド３０の回転を阻止することができる。
【００３１】
ここで、ホールド３０の表面部３２の形状について説明する。図３に示されるように、ホールド３０の裏面部３４から表面部３２までのＸ方向距離が部位によって異なる。例えば、図３において、ホールド３０の裏面部３４から表面部３２までのＸ方向距離は、第１部位Ｈ１と第２部位Ｈ２と第３部位Ｈ３とで互いに異なっている。また、例えばホールド３０の周縁部Ｈ４は、ホールド３０の裏面部３４の全部がパネル２０の壁面２２と当接しているため、ホールド３０の裏面部３４から表面部３２までのＸ方向距離が最も小さい。このように、ホールド３０の裏面部３４から表面部３２までのＸ方向距離は部位に応じて異なるものの、部位に応じたＸ方向距離に規則性がないため、ホールド３０の表面部３２は不規則な形状となっている。
【００３２】
なお、Ｘ方向は、ホールド３０をパネル２０の壁面２２に取り付けた際に、ホールド３０の裏面部３４に対して直交する方向である。上述したように、パネル２０の壁面２２へのホールド３０の取り付けは、ホールド３０の裏面部３４とパネル２０の壁面２２とが当接するように行われるため、Ｘ方向は、パネル２０の壁面２２に対しても直交する方向である。
【００３３】
次に、嵌合部材６０について、図４および図５を参照して説明する。図４および図５は、いずれも嵌合部材６０の斜視図の一例であるが、図４と図５とでは見る方向が異なっている。
【００３４】
図４および図５に示されるように、嵌合部材６０は、ホールド３０と一体構成されるホールド３０側の雌型部材７０（以下単に「雌型部材７０」と称する）と、パネル２０と一体構成されるパネル側２０の雌型部材８０（以下単に「雌型部材８０」と称する）と、一方の端部が雌型部材７０に内挿して嵌合されるとともに他方の端部が雌型部材８０に内挿して嵌合される雄型部材９０とを備える。なお、図４および図５に示されるＸ方向は、図３に示されるＸ方向と同じ方向であり、嵌合部材６０を用いてホールド３０をパネル２０の壁面２２に取り付けた際に、ホールド３０の裏面部３４に対して直交する方向である。
【００３５】
雌型部材７０は、フランジ面がＸ方向と略直交するフランジ部７２と、軸方向がＸ方向と略平行な筒状部７４とを有している。また、フランジ部７２の略中央には、締付部材５６（図３参照）をとおすことができる円形の孔７６が形成されている。この孔７６の中心は、筒状部７４の径方向（Ｘ方向と直交する方向）の中心と略同心である。
【００３６】
図４に示されるように、筒状部７４は、内周部７４４が八角形に形成されている。筒状部７４の内周部７４４は、八角形に限定されないことは勿論であるが、ホールド３０の取付角度のバリエーションを増やす観点からいえば角部がより多い多角形であることが好ましい。また、図４では、筒状部７４の外周部７４２も八角形に形成されているが、外周部７４２の形状は特に限定されるものではない。
【００３７】
図５に示されるように、雌型部材８０は、フランジ面がＸ方向と略直交するフランジ部８２と、軸方向がＸ方向と略平行な筒状部８４とを有している。また、フランジ部８２の略中央には、締付部材５６（図３参照）をとおすことができる円形の孔８６が形成されている。この孔８６は、筒状部８４の径方向（Ｘ方向と直交する方向）の中心と略同心である。また、上述したとおり、孔８６の内周部には締付部材５６と螺合する雌ネジが形成されている。
【００３８】
また、筒状部８４は、内周部８４４が筒状部７４の内周部７４４と同様の形状（径方向の大きさが略同じ且つ八角形である点が同じ）に形成されている。筒状部８４の内周部８４４は、八角形に限定されないことは勿論である。また、図５では、筒状部８４の外周部８４２も八角形に形成されているが、外周部８４２の形状も特に限定されるものではない。
【００３９】
図４および図５に示されるように、雄型部材９０は、軸方向がＸ方向と略平行な柱状の軸部で構成されており、径方向（Ｘ方向と直交する方向）の略中央には、軸方向に沿って形成された貫通孔９２を有している。上述した締付部材５６（図３参照）は、この貫通孔９２を挿通した上で、ホールド３０と一体構成される雌型部材７０と、パネル２０と一体構成される雌型部材８０とを締め付けることによって、パネル２０の壁面２２にホールド３０を一軸で取り付けている。したがって、締付部材５６の軸方向もＸ方向と略平行な方向である。また、雄型部材９０の外周部９４は、雌型部材７０の筒状部７４および雌型部材８０の筒状部８４のいずれにも嵌合する多角形（例えば八角形）に形成されている。
【００４０】
なお、本実施形態では、筒状部７４の内周部７４４と筒状部８４の内周部８４４とで同様の形状であるが、必ずしもこれに限られない。例えば、雄型部材９０の一方の端部９６と他方の端部９８とで径方向の大きさまたは／および形状を変えるとともに、雄型部材９０の一方の端部９６が筒状部７４の内周部７４４と嵌合し、雄型部材９０の他方の端部９８が筒状部８４の内周部８４４と嵌合するようにすれば、筒状部７４の内周部７４４と筒状部８４の内周部８４４とで異なる形状とすることができる。
【００４１】
次に、ホールド３０と雌型部材７０とが一体構成される態様の一例について、図６を参照して説明する。図６（Ａ）は、ホールド３０を裏面部３４側から見た図の一例であり、図６（Ｂ）は、図６（Ａ）に示されるＢ−Ｂ断面図である。なお、図６（Ｂ）では雄型部材９０を仮想線（二点鎖線）で図示している（図６（Ａ）では雄型部材９０を図示していない）。
【００４２】
図６（Ａ）および（Ｂ）に示されるように、雌型部材７０は、ホールド３０の内部に埋め込まれることによってホールド３０と一体構成されている。このように、雌型部材７０をホールド３０の内部に埋め込むことにより、嵌合部材６０をコンパクトなものにすることができる。
【００４３】
ただし、上述したとおり、ホールド３０は、裏面部３４から表面部３２までのＸ方向距離が部位に応じて異なっている。より詳しく言えば、ホールド３０は、裏面部３４から表面部３２までのＸ方向距離が、雌型部材７０のＸ方向長さよりも大きい部位（例えば、第１部位Ｈ１，第２部位Ｈ２等）と小さい部位（例えば、第３部位Ｈ３，ホールド３０の周縁部Ｈ４等）との両方が存在する。そのため、雌型部材７０を、裏面部３４から表面部３２までのＸ方向距離が雌型部材７０のＸ方向長さよりも小さい部位に位置させてホールド３０に埋め込むと、雌型部材７０がホールド３０の表面部３２から露出してしまい、遊戯者が怪我してしまう虞がある。例えば図６（Ｂ）において、第３部位Ｈ３では裏面部３４から表面部３２までのＸ方向距離が雌型部材７０のＸ方向長さよりも小さいため、第３部位Ｈ３を含むように雌型部材７０を位置させてホールド３０に埋め込むと、雌型部材７０がホールド３０の表面部３２から露出してしまう。なお、ここでいう露出とは、ただ単にホールド３０を外観で視認できることを意味するのではなく、表面部３２からホールド３０が突出することを意味する。
【００４４】
そこで、本実施形態では、雌型部材７０を、裏面部３４から表面部３２までのＸ方向距離が雌型部材７０のＸ方向における最大長さよりも大きい部位に位置させるとともに（図６（Ｂ）では第２部位Ｈ２に位置させている）、Ｘ方向における筒状部７４の端部（フランジ部７２とは反対側の端部）とホールド３０の裏面部３４とが略面一となるように、ホールド３０に埋め込むようにしている。このとき、筒状部８４の径方向内側には、雄型部材９０を内挿して嵌合できるように樹脂（ホールド３０の材質としての樹脂）が存在しない空間となっている。
【００４５】
なお、「裏面部３４から表面部３２までのＸ方向距離が雌型部材７０のＸ方向長さよりも大きい部位」の「表面部３２」とは、実際には雌型部材７０が埋め込まれる位置に対応するホールド３０の表面部３２には締付用の孔３８が形成されるため、締付用の孔３８が形成される前の表面部３２や締付用の孔３８の周縁部が相当する。
【００４６】
このように、パネル２０の壁面２２へのホールド３０の取り付けを１点止めとする（締付部材５６により一軸で固定する）ことによって穴を開ける作業負荷の軽減およびホールドの取付角度を変える作業負荷の軽減を図ることができるだけでなく、ホールド３０の表面部３２からの雌型部材７０の露出を防止するとともに遊戯中における締付部材５６を回転中心とするホールド３０の回転を阻止することによって安全性を担保することもできる。
【００４７】
また、雌型部材７０がホールド３０に埋め込まれることに加えて、締付部材５６（図３参照）を貫通孔９２に挿通させた上で雌型部材７０と雌型部材８０とが締め付けられるため、嵌合部材６０のみならず取付部材５０もコンパクトなものにすることができる。
【００４８】
なお、本実施形態では、雌型部材７０を、裏面部３４から表面部３２までのＸ方向距離がこの雌型部材７０のＸ方向長さよりも大きい部位に位置させてホールド３０に埋め込むようにしているが、締付部材５６（例えばボルトの頭部）がフランジ部７２よりもホールド３０の表面部３２側に位置する場合には、締付部材５６がホールド３０の表面部３２から露出しない部位に雌型部材７０を位置させてホールド３０に埋め込むことが好ましい。
【００４９】
また、パネル２０と雌型部材８０とが一体構成される態様については詳述しないが、例えば、雄型部材９０を内挿して嵌合できるようにパネル２０の材質としての例えばＦＲＰが筒状部８４の径方向内側に存在しないよう空間を形成しつつ、雌型部材８０をパネル２０に埋め込んで両者を一体構成することができる。
【００５０】
また、ホールド３０が取り付けられる側の面（壁面２２）とは反対側の面（以下単に「パネル２０の裏面」と称する）に雌型部材８０を例えばボルト等で固定するとともに、筒状部８４に雄型部材９０の他方の端部９８を嵌合できるようにパネル２０に孔を形成するようにしてもよい。この場合、筒状部８４をパネル２０に埋め込んでフランジ部８２のフランジ面とパネル２０の裏面とが当接するようにしてもよいし、筒状部８４の端部（フランジ部８２とは反対側の端部）とパネル２０の裏面とが当接するようにしてもよい。特にパネル２０が木製である場合には、パネル２０の裏面に雌型部材８０を固定することにより作業負荷が軽減される点で有効である。
【００５１】
また、本実施形態では、雄型部材９０の一方の端部９６を、ホールド３０と一体構成された雌型部材７０の筒状部７４に嵌合させるとともに、雄型部材９０の他方の端部９８を、パネル２０と一体構成された雌型部材８０の筒状部８４に嵌合させるようにしているため、パネル２０の裏面に雌型部材８０を固定する場合において、雄型部材９０の長さを変えるだけで様々な厚みのパネル２０にも対応することができる。
【００５２】
また、本実施形態では、パネル２０と雌型部材８０とが一体構成されているが、必ずしもこれに限られず、少なくとも、貫通孔９２を挿通する締付部材５６を回転中心として雄型部材９０が回転することを阻止できればよい。したがって、例えば、雄型部材９０とパネル２０とを一体構成するようにしてもよい。
【００５３】
また、本実施形態では、ホールド３０に雌型部材７０を埋め込んで両者を一体構成した上で、この雌型部材７０の筒状部７４に雄型部材９０が嵌合されるようにしているが、必ずしもこれに限られない。例えば、ホールド３０に外周部が多角形（例えば八角形）の雄型部材を埋め込んで両者を一体構成した上で、この雄型部材に嵌合する多角形が内周部に形成された雌型部材を、上記の雄型部材に嵌合させるようにしてもよい。この場合、この種の雄型部材および雌型部材を、例えば図７に示される構成により実現できる。図７は、嵌合部材の変形例を示す図である。
【００５４】
図７に示されるように、嵌合部材１６０は、ホールド３０側の雄型部材１７０と、パネル２０側の雄型部材１８０と、一方の端部１９６が雄型部材１７０と嵌合するとともに他方の端部１９８が雄型部材１８０と嵌合する雌型部材１９０とを備える。
【００５５】
雄型部材１７０は、フランジ面がＸ方向と略直交するフランジ部１７２と、軸方向がＸ方向と略平行な軸部１７４とを有している。軸部１７４の外周部１７５は多角形（例えば八角形）に形成されている。軸部１７４の周囲には筒状部１７６が形成されている。そして、この雄型部材１７０は、ホールド３０の裏面部３４から表面部３２までのＸ方向距離が雄型部材１７０のＸ方向長さよりも大きい部位に位置されるとともに、Ｘ方向における筒状部１７６の端部（フランジ部１７２側とは反対側の端部）とホールド３０の裏面部３４（図６（Ｂ）参照）とが略面一となるようにホールド３０に埋め込まれて両者が一体化される。なお、軸部１７４と筒状部１７６との間は、雌型部材１９０を外挿して嵌合できるように樹脂（ホールド３０の材質としての樹脂）が存在しない空間となっている。なお、筒状部１７６の径方向外側には樹脂が存在している。
【００５６】
雌型部材１９０は、筒状の部材であって、軸部１７４を内挿して嵌合できる多角形（例えば八角形）が内周部１９２に形成されている。なお、雌型部材１９０の外周部１９４は、雄型部材１７０の筒状部１７６に内挿される。また、この雌型部材１９０は、パネル２０に対して回転しないように構成されている。パネル２０に対して回転しない構成とは、例えば、パネル２０と雄型部材１８０とを一体構成し、パネル２０と一体構成された雄型部材１８０を雄型部材１９０に内挿して嵌合させる構成であってもよいし、雄型部材１８０を設けずに、雌型部材１９０とパネル２０とを一体構成したものであってもよい。
【００５７】
なお、雄型部材１７０および雄型部材１８０には、それぞれ、締付部材５６（図３参照）を挿通させることが可能な孔１７８，１８２を形成することが好ましい。また、図７では、雄型部材１７０の筒状部１７６の内周部および外周部並びに雌型部材１９０の外周部が八角形で図示されているが、これに限られず、雄型部材１７０の筒状部１７６の内周部および外周部並びに雌型部材１９０の外周部の形状は任意の形状としてよい。
【００５８】
このように、図７に示される雄型部材１７０を、ホールド３０の裏面部３４から表面部３２までのＸ方向距離が雄型部材１７０のＸ方向長さよりも大きい部位に位置させるとともに、Ｘ方向における筒状部１７６の端部（フランジ部１７２とは反対側の端部）とホールド３０の裏面部３４とが略面一となるようにホールド３０に埋め込んだ場合にも、穴を開ける作業負荷の軽減およびホールドの取付角度を変える作業負荷の軽減を図ることができるだけでなく、ホールド３０の表面部３２からの雄型部材１７０の露出を防止するとともに遊戯中における締付部材５６を回転中心とするホールド３０の回転を阻止することによって安全性を担保することができる。
【００５９】
以上説明した実施形態によれば、以下のような発明を提供することができる。
【００６０】
第１の発明は、
壁面（例えば、壁面２２）を有するパネル（例えば、パネル２０）と、
前記パネルの壁面に取り付けられる平面部（例えば、裏面部３４）と、足掛かりまたは／および手掛かりとされ、前記平面部からの距離（例えば、Ｘ方向距離）が部位に応じて異なる表面部（例えば、表面部３２）とを有するホールド（例えば、ホールド３０）と、
前記パネルの壁面に前記ホールドを一軸で取り付け可能な取付部材（例えば、取付部材５０）と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材（例えば、嵌合部材６０）を含む
ことを特徴とするクライミング遊具（例えば、クライミング遊具１０）である。
【００６１】
上記の第１の発明によれば、締付部材５６により一軸でホールド３０をパネル２０の壁面に取り付けることによって作業負荷の軽減を図ることができ、さらにはホールド３０の回転を阻止することによって安全性を担保することが可能なクライミング遊具を提供することができる。
【００６２】
上記の第１の発明において、
前記嵌合部材は、
前記パネルに対して回転しないよう構成可能であり、外周が多角形の前記一軸としての軸部を有する雄型部材（例えば、雄型部材９０）と、
前記ホールドと一体的に構成され、前記雄型部材と嵌合する多角形が内周に形成された筒状部（例えば、筒状部７４）を有する雌型部材（例えば、雌型部材７０）と、
を含み、
前記雌型部材は、
前記ホールドの平面部（例えば、裏面部３４）から表面部（例えば、表面部３２）までの距離（例えば、Ｘ方向距離）が前記一軸方向における当該雌型部材の長さ（例えば、Ｘ方向長さ）よりも大きい部位において、当該雌型部材の端部と前記ホールドの平面部とが略面一となるように前記ホールドに埋め込まれて該ホールドと一体構成される
ことがより好ましい。
【００６３】
上記の第１の発明のより好ましい態様によれば、作業負荷の軽減およびホールド３０の回転を阻止できることに加えて、ホールド３０の表面部３２からの雌型部材７０の露出を防止することができるため、より一層、安全性を担保することが可能なクライミング遊具を提供することができる。
【００６４】
第２の発明は、上記の第１の発明または第１の発明のより好ましい態様において、
前記雌型部材をホールド側雌型部材（例えば、雌型部材７０）とし、
前記嵌合部材は、前記ホールド側雌型部材とは別に、前記パネルと一体的に構成されるパネル側雌型部材（例えば、雌型部材８０）を有し、
前記雄型部材は、
軸方向に沿って貫通孔（例えば、貫通孔９２）が形成されるとともに、
前記ホールド側雌型部材と嵌合する側とは反対側の端部（例えば、他方の端部９８）を前記パネル側雌型部材と嵌合させることにより、前記パネルに対して回転しないよう構成されており、
前記取付部材（例えば、取付部材５０）は、
前記雄型部材に形成された貫通孔に挿通させて前記パネル側雌型部材と前記ホールド側雌型部材とを締め付けることにより、前記パネルと前記ホールドとが離間しないよう構成する締付部材（例えば、締付部材５６）をさらに有する
ことを特徴とするクライミング遊具（例えば、クライミング遊具１０）である。
【００６５】
上記の第２の発明によれば、締付部材５６を貫通孔９２に挿通させた上で雌型部材７０と雌型部材８０とが締め付けられるため、取付部材５０をコンパクトにしたクライミング遊具を提供することができる。
【００６６】
第３の発明は、
パネル（例えば、パネル２０）の壁面に取り付けられる平面部（例えば、裏面３４）と、足掛かりまたは／および手掛かりとされ、前記平面部からの距離（例えば、Ｘ方向距離）が部位に応じて異なる表面部（例えば、表面部３２）とを有するホールド（例えば、ホールド３０）と、
前記パネルの壁面に前記ホールドを一軸で取り付け可能な取付部材（例えば、取付部材５０）と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材（例えば、嵌合部材６０）を含む
ことを特徴とするクライミング遊具用部材（例えば、ホールド３０および取付部材５０）である。
【００６７】
上記の第３の発明によれば、締付部材５６により一軸でホールド３０をパネル２０の壁面に取り付けることによって作業負荷の軽減を図ることができ、さらにはホールド３０の回転を阻止することによって安全性を担保することが可能なクライミング遊具用部材を提供することができる。
【００６８】
上記の第３の発明において、
前記嵌合部材は、
前記パネルに対して回転しないよう構成可能であり、外周が多角形の前記一軸としての軸部を有する雄型部材（例えば、雄型部材９０）と、
前記ホールドと一体的に構成され、前記雄型部材と嵌合する多角形が内周に形成された筒状部（例えば、筒状部７４）を有する雌型部材（例えば、雌型部材７０）と、
を含み、
前記雌型部材は、
前記ホールドの平面部（例えば、裏面部３４）から表面部（例えば、表面部３２）までの距離（例えば、Ｘ方向距離）が前記一軸方向における当該雌型部材の長さ（例えば、Ｘ方向長さ）よりも大きい部位において、当該雌型部材の端部と前記ホールドの平面部とが略面一となるように前記ホールドに埋め込まれて該ホールドと一体構成される
ことがより好ましい。
【００６９】
上記の第３の発明のより好ましい態様によれば、作業負荷の軽減およびホールド３０の回転を阻止できることに加えて、ホールド３０の表面部３２からの雌型部材７０の露出を防止することができるため、より一層、安全性を担保することが可能なクライミング遊具用部材を提供することができる。
【００７０】
第４の発明は、上記の第３の発明または第３の発明のより好ましい態様において、
前記雌型部材をホールド側雌型部材（例えば、雌型部材７０）とし、
前記嵌合部材は、前記ホールド側雌型部材とは別に、前記パネルに一体的に取り付け可能なパネル側雌型部材（例えば、雌型部材８０）を有し、
前記雄型部材は、
軸方向に沿って貫通孔（例えば、貫通孔９２）が形成されるとともに、
前記ホールド側雌型部材と嵌合する側とは反対側の端部（例えば、他方の端部９８）を前記パネル側雌型部材と嵌合させることにより、前記パネルに対して回転しないよう構成されており、
前記取付部材（例えば、取付部材５０）は、
前記雄型部材に形成された貫通孔に挿通させて前記パネル側雌型部材と前記ホールド側雌型部材とを締め付けることにより、前記パネルと前記ホールドとが離間しないよう構成する締付部材（例えば、締付部材５６）をさらに有する
ことを特徴とするクライミング遊具用部材（例えば、ホールド３０および取付部材５０）である。
【００７１】
上記の第４の発明によれば、締付部材５６を貫通孔９２に挿通させた上で雌型部材７０と雌型部材８０とが締め付けられるため、取付部材５０をコンパクトにしたクライミング遊具用部材を提供することができる。
【００７２】
第５の発明は、
壁面を有するパネルと、
前記パネルの壁面に取り付けられる平面部（例えば、裏面部３４）と、足掛かりまたは／および手掛かりとされ、前記平面部からの距離が部位に応じて異なる表面部（例えば、表面部３２）とを有するホールド（例えば、ホールド３０）と、
前記パネルの壁面に前記ホールドを一軸で取り付け可能な取付部材（例えば、取付部材５０）と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材（例えば、嵌合部材６０）を含み、
前記嵌合部材は、
前記パネルに対して回転しないよう構成可能であり、内周部（例えば、内周部１９２）が多角形に形成された筒状部を有する雌型部材（例えば、雌型部材１９０）と、
前記雌型部材と嵌合する外周部（例えば、外周部１７５）が多角形の前記一軸としての軸部（例えば、軸部１７４）を有し、該軸部の周囲に前記雌型部材を嵌合させることができる間隙（例えば、空間）を有しつつ前記ホールドと一体的に構成される雄型部材（例えば、雄型部材１７０）と、
を含み、
前記雄型部材は、
前記ホールドの平面部（例えば、裏面部３４）から表面部（例えば、表面部３２）までの距離（例えば、Ｘ方向距離）が前記一軸方向における当該雄型部材の長さ（例えば、Ｘ方向長さ）よりも大きい部位において、当該雄型部材の端部と前記ホールドの平面部とが略面一となるように前記ホールドに埋め込まれて該ホールドと一体構成される
ことを特徴とするクライミング遊具（例えば、クライミング遊具１０）である。
【００７３】
第６の発明は、
壁面（例えば、壁面２２）を有するパネル（例えば、パネル２０）と、
前記パネルの壁面に取り付けられる平面部（例えば、裏面部３４）と、足掛かりまたは／および手掛かりとされ、前記平面部からの距離が部位に応じて異なる表面部（例えば、表面部３２）とを有するホールド（例えば、ホールド３０）と、
前記パネルの壁面に前記ホールドを一軸で取り付け可能な取付部材（例えば、取付部材５０）と、
を備え、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材（例えば、嵌合部材６０）を含み、
前記嵌合部材は、
前記パネルに対して回転しないよう構成可能であり、内周部（例えば、内周部１９２）が多角形に形成された筒状部を有する雌型部材（例えば、雌型部材１９０）と、
前記雌型部材と嵌合する外周部（例えば、外周部１７５）が多角形の前記一軸としての軸部（例えば、軸部１７４）を有し、該軸部の周囲に前記雌型部材を嵌合させることができる間隙（例えば、空間）を有しつつ前記ホールドと一体的に構成される雄型部材（例えば、雄型部材１７０）と、
を含み、
前記雄型部材は、
前記ホールドの平面部（例えば、裏面部３４）から表面部（例えば、表面部３２）までの距離（例えば、Ｘ方向距離）が前記一軸方向における当該雄型部材の長さ（例えば、Ｘ方向長さ）よりも大きい部位において、当該雄型部材の端部と前記ホールドの平面部とが略面一となるように前記ホールドに埋め込まれて該ホールドと一体構成される
ことを特徴とするクライミング遊具用部材（例えば、ホールド３０および取付部材５０）である。
【００７４】
上記の第５の発明および第６に発明においても、作業負荷の軽減を図ることができるとともにホールド３０の回転を阻止することによって安全性を担保できることに加え、ホールド３０の表面部３２からの雄型部材１７０の露出を防止することができるため、より一層、安全性を担保することが可能なクライミング遊具およびクライミング遊具用部材を提供することができる。
【産業上の利用可能性】
【００７５】
本発明によれば、安全性を担保しつつ従来よりも作業負荷を軽減することが可能なクライミング遊具およびクライミング遊具用部材を提供することができる。
【符号の説明】
【００７６】
１０  クライミング遊具
２０  パネル
２２  壁面
３０  ホールド
３２  表面部
３４  裏面部
５０  取付部材
５６  締付部材
６０  嵌合部材
７０  ホールド側の雌型部材
８０  パネル側の雌型部材
９０  雄型部材
９２  貫通孔
９６  一方の端部
９８  他方の端部
１７０  雄型部材
１７４  軸部
１７５  外周部
１９０  雌型部材
１９２  内周部
【図１】
2020192010.tif 000003
【図２】
2020192010.tif 000004
【図３】
2020192010.tif 000005
【図４】
2020192010.tif 000006
【図５】
2020192010.tif 000007
【図６】
2020192010.tif 000008
【図７】
2020192010.tif 000009
【図８】
2020192010.tif 000010
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
壁面を有するパネルと、
前記パネルの壁面に取り付けられる平面部と、足掛かりまたは／および手掛かりとされ、前記平面部からの距離が部位に応じて異なる表面部とを有するホールドと、
前記パネルの壁面に前記ホールドを一軸で取り付け可能な取付部材と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材を含み、
前記嵌合部材は、
前記パネルに対して回転しないよう構成可能であり、外周が多角形の前記一軸としての軸部を有する雄型部材と、
前記ホールドと一体的に構成され、前記雄型部材と嵌合する多角形が内周に形成された筒状部を有する雌型部材と、
を含み、
前記雌型部材は、
前記ホールドの平面部から表面部までの距離が前記一軸方向における当該雌型部材の長さよりも大きい部位において、当該雌型部材の端部と前記ホールドの平面部とが略面一となるように前記ホールドに埋め込まれて該ホールドと一体構成される
ことを特徴とするクライミング遊具。
【請求項２】
前記雌型部材は、
前記パネルと一体的に構成されるパネル側雌型部材、および
前記ホールドと一体的に構成されるホールド側雌型部材を有し、
前記雄型部材は、
一方の端部が前記パネル側雌型部材と嵌合し、他方の端部が前記ホールド側雌型部材と嵌合する筒状のものであって、
前記取付部材は、
前記筒状の雄型部材の内側を挿通させて前記パネル側雌型部材と前記ホールド側雌型部材とを締め付けることにより、前記パネルと前記ホールドとが離間しないよう構成する締付部材をさらに有する
ことを特徴とする請求項１に記載のクライミング遊具。
【手続補正２】
【補正対象書類名】明細書
【補正対象項目名】０００９
【補正方法】変更
【補正の内容】
【０００９】
（１）本発明のクライミング遊具は、
壁面を有するパネルと、
前記パネルの壁面に取り付けられる平面部と、足掛かりまたは／および手掛かりとされ、前記平面部からの距離が部位に応じて異なる表面部とを有するホールドと、
前記パネルの壁面に前記ホールドを一軸で取り付け可能な取付部材と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材を含み、
前記嵌合部材は、
前記パネルに対して回転しないよう構成可能であり、外周が多角形の前記一軸としての軸部を有する雄型部材と、
前記ホールドと一体的に構成され、前記雄型部材と嵌合する多角形が内周に形成された筒状部を有する雌型部材と、
を含み、
前記雌型部材は、
前記ホールドの平面部から表面部までの距離が前記一軸方向における当該雌型部材の長さよりも大きい部位において、当該雌型部材の端部と前記ホールドの平面部とが略面一となるように前記ホールドに埋め込まれて該ホールドと一体構成される
ことを特徴とする。
【手続補正３】
【補正対象書類名】明細書
【補正対象項目名】００１０
【補正方法】変更
【補正の内容】
【００１０】
上記（１）のクライミング遊具によれば、取付部材により一軸でホールドをパネルの壁面に取り付けることによって作業負荷の軽減を図ることができ、さらにはホールドの回転を阻止できることに加えて、ホールドの表面部からの雌型部材の露出を防止することができるため、安全性を担保することができる。
【手続補正４】
【補正対象書類名】明細書
【補正対象項目名】００１１
【補正方法】変更
【補正の内容】
【００１１】
（２）上記（１）のクライミング遊具において、
前記雌型部材は、
前記パネルと一体的に構成されるパネル側雌型部材、および
前記ホールドと一体的に構成されるホールド側雌型部材を有し、
前記雄型部材は、
一方の端部が前記パネル側雌型部材と嵌合し、他方の端部が前記ホールド側雌型部材と嵌合する筒状のものであって、
前記取付部材は、
前記筒状の雄型部材の内側を挿通させて前記パネル側雌型部材と前記ホールド側雌型部材とを締め付けることにより、前記パネルと前記ホールドとが離間しないよう構成する締付部材をさらに有する
ことを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本発明によれば、安全性を担保しつつ従来よりも作業負荷を軽減することが可能なクライミング遊具を提供することができる。
【手続補正１０】
【補正対象書類名】明細書
【補正対象項目名】００７５
【補正方法】変更
【補正の内容】
【００７５】
本発明によれば、安全性を担保しつつ従来よりも作業負荷を軽減することが可能なクライミング遊具を提供することができる。
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
壁面を有するパネルと、
前記パネルの壁面に取り付けられる平面部と、足掛かりまたは／および手掛かりとされ、前記平面部からの距離が部位に応じて異なる表面部とを有するホールドと、
前記パネルの壁面に前記ホールドを一軸で取り付け可能な取付部材と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材を含み、
前記嵌合部材は、
前記パネルに対して回転しないよう構成可能であり、外周が多角形の前記一軸としての軸部を有する雄型部材と、
前記ホールドと一体的に構成され、内周部に、前記雄型部材の一方の端部と嵌合する多角形が形成された筒状部を有するホールド側雌型部材と、
前記パネルと一体的に構成され、内周部に、前記雄型部材の他方の端部と嵌合する多角形であって前記ホールド側雌型部材の内周部と同様の形状の多角形が形成された筒状部を有するパネル側雌型部材と、
を含み、
前記雄型部材の外周部は、
前記ホールド側雌型部材の筒状部および前記パネル側雌型部材の筒状部のいずれにも嵌合する多角形に形成されており、
前記ホールド側雌型部材は、
前記パネルの壁面に前記ホールドが取り付けられた際に前記ホールドの平面部と前記パネルの壁面とが当接するように、前記ホールドの平面部から表面部までの距離が前記一軸方向における当該ホールド側雌型部材の長さよりも大きい部位において、前記ホールドに埋め込まれて該ホールドと一体構成される
ことを特徴とするクライミング遊具。
【請求項２】
パネルの壁面に取り付けられる平面部と、足掛かりまたは／および手掛かりとされ、前記平面部からの距離が部位に応じて異なる表面部とを有するホールドと、
前記パネルの壁面に前記ホールドを一軸で取り付け可能な取付部材と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材を含み、
前記嵌合部材は、
前記パネルに対して回転しないよう構成可能であり、外周が多角形の前記一軸としての軸部を有する雄型部材と、
前記ホールドと一体的に構成され、内周部に、前記雄型部材の一方の端部と嵌合する多角形が形成された筒状部を有するホールド側雌型部材と、
前記パネルと一体的に構成され、内周部に、前記雄型部材の他方の端部と嵌合する多角形であって前記ホールド側雌型部材の内周部と同様の形状の多角形が形成された筒状部を有するパネル側雌型部材と、
を含み、
前記雄型部材の外周部は、
前記ホールド側雌型部材の筒状部および前記パネル側雌型部材の筒状部のいずれにも嵌合する多角形に形成されており、
前記ホールド側雌型部材は、
前記パネルの壁面に前記ホールドが取り付けられた際に前記ホールドの平面部と前記パネルの壁面とが当接するように、前記ホールドの平面部から表面部までの距離が前記一軸方向における当該ホールド側雌型部材の長さよりも大きい部位において、前記ホールドに埋め込まれて該ホールドと一体構成される
ことを特徴とするクライミング遊具用部材。
【手続補正２】
【補正対象書類名】明細書
【補正対象項目名】０００９
【補正方法】変更
【補正の内容】
【０００９】
（１）本発明のクライミング遊具は、
壁面を有するパネルと、
前記パネルの壁面に取り付けられる平面部と、足掛かりまたは／および手掛かりとされ、前記平面部からの距離が部位に応じて異なる表面部とを有するホールドと、
前記パネルの壁面に前記ホールドを一軸で取り付け可能な取付部材と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材を含み、
前記嵌合部材は、
前記パネルに対して回転しないよう構成可能であり、外周が多角形の前記一軸としての軸部を有する雄型部材と、
前記ホールドと一体的に構成され、内周部に、前記雄型部材の一方の端部と嵌合する多角形が形成された筒状部を有するホールド側雌型部材と、
前記パネルと一体的に構成され、内周部に、前記雄型部材の他方の端部と嵌合する多角形であって前記ホールド側雌型部材の内周部と同様の形状の多角形が形成された筒状部を有するパネル側雌型部材と、
を含み、
前記雄型部材の外周部は、
前記ホールド側雌型部材の筒状部および前記パネル側雌型部材の筒状部のいずれにも嵌合する多角形に形成されており、
前記ホールド側雌型部材は、
前記パネルの壁面に前記ホールドが取り付けられた際に前記ホールドの平面部と前記パネルの壁面とが当接するように、前記ホールドの平面部から表面部までの距離が前記一軸方向における当該ホールド側雌型部材の長さよりも大きい部位において、前記ホールドに埋め込まれて該ホールドと一体構成される
ことを特徴とする。
【手続補正３】
【補正対象書類名】明細書
【補正対象項目名】００１１
【補正方法】変更
【補正の内容】
【００１１】
（２）本発明のクライミング遊具用部材は、
パネルの壁面に取り付けられる平面部と、足掛かりまたは／および手掛かりとされ、前記平面部からの距離が部位に応じて異なる表面部とを有するホールドと、
前記パネルの壁面に前記ホールドを一軸で取り付け可能な取付部材と、
を備え、
前記取付部材は、
前記パネルの壁面に前記ホールドを取り付ける際に前記一軸を中心にまわして該ホールドの取付角度を変えることが可能であるとともに、前記パネルの壁面に前記ホールドが取り付けられた後は前記一軸を中心とする該ホールドの回転を阻止する多角形の嵌合部材を含み、
前記嵌合部材は、
前記パネルに対して回転しないよう構成可能であり、外周が多角形の前記一軸としての軸部を有する雄型部材と、
前記ホールドと一体的に構成され、内周部に、前記雄型部材の一方の端部と嵌合する多角形が形成された筒状部を有するホールド側雌型部材と、
前記パネルと一体的に構成され、内周部に、前記雄型部材の他方の端部と嵌合する多角形であって前記ホールド側雌型部材の内周部と同様の形状の多角形が形成された筒状部を有するパネル側雌型部材と、
を含み、
前記雄型部材の外周部は、
前記ホールド側雌型部材の筒状部および前記パネル側雌型部材の筒状部のいずれにも嵌合する多角形に形成されており、
前記ホールド側雌型部材は、
前記パネルの壁面に前記ホールドが取り付けられた際に前記ホールドの平面部と前記パネルの壁面とが当接するように、前記ホールドの平面部から表面部までの距離が前記一軸方向における当該ホールド側雌型部材の長さよりも大きい部位において、前記ホールドに埋め込まれて該ホールドと一体構成される
ことを特徴とする。
【手続補正４】
【補正対象書類名】明細書
【補正対象項目名】００１２
【補正方法】変更
【補正の内容】
【００１２】
上記（２）のクライミング遊具用部材によれば、取付部材により一軸でホールドをパネルの壁面に取り付けることによって作業負荷の軽減を図ることができ、さらにはホールドの回転を阻止できることに加えて、ホールドの表面部からの雌型部材の露出を防止することができるため、安全性を担保することができる。
【手続補正５】
【補正対象書類名】明細書
【補正対象項目名】００１７
【補正方法】変更
【補正の内容】
【００１７】
本発明によれば、安全性を担保しつつ従来よりも作業負荷を軽減することが可能なクライミング遊具およびクライミング遊具用部材を提供することができる。
【手続補正６】
【補正対象書類名】明細書
【補正対象項目名】００７５
【補正方法】変更
【補正の内容】
【００７５】
本発明によれば、安全性を担保しつつ従来よりも作業負荷を軽減することが可能なクライミング遊具およびクライミング遊具用部材を提供することができる。